(57)【要約】      （修正有）【課題】枝肉搬送用トロリーの走行レール上を移動走行しながら連続的に当該レールを清掃する自動清掃装置を提供する。【解決手段】枝肉搬送レール７に自走式トロリー機構１を載置し、レール７に倣って移動しながら、洗浄剤の噴霧・滴下機構にて走行レール７に洗浄剤を散布し、走行レール７の上面並びに側面を横回転ブラシ機構３及び縦回転ブラシ機構４のブラシを回転させることで、レール７に付着したオイル、塵埃、錆等を掻き取り、モップ機構５によりレール７に付着した汚れ、及び洗浄剤を拭き取るように一つの装置として構成する。バッテリー等を主要電源とし、有線または無線でリモートコントロール可能に構成する。【選択図】図１
0003155445.tif 000002
【実用新案登録請求の範囲】
【請求項１】
搬送トロリーの走行レールを洗浄する自動洗浄装置であって、前記走行レール表面に洗浄剤を塗布する洗浄剤散布機構と、前記走行レール表面をブラッシングするブラシング機構と、前記走行用レール上を駆動走行させるモーターとを備え、前記複数のトリローを複数のリンクで連結し、走行レール上を正逆移動可能に構成し、且つ任意のトロリーには左右回転自在に設けた一対のブラシが、レールを挟持して設置され、他のトロリーには、左右回転自在に設けたブロックに走行レールの上面に対して、円盤型のブラシが当該ブラシの回転軸と直角になるように設置されると共に、レールを挟持して拭き取り具を設け、正逆それぞれの進行方向の背面側で牽引可能に構成したことを特徴とする搬送トロリー走行用レール自動清掃装置。
【請求項２】
装置本体が走行レールの上面から複数の車輪で支持され、走行レールの接触面に、更に前記各々の車輪を支点にしてリンクバーで連結させたことを特徴とする請求項１記載の搬送トロリー走行用レール自動清掃装置。
【考案の詳細な説明】
【技術分野】
【０００１】
本考案は、例えば、食肉加工処理場等において、食用枝肉の搬送に使用されるトロリーの走行レールに付着したオイルや塵埃、錆等を取り除く目的で、走行レール上を自動的に移動しながら掃除する走行レール用自動洗浄装置に関する。
【背景技術】
【０００２】
従来から、屠畜場・食肉加工処理場・その他畜肉を懸架して搬送する工場、倉庫等において、食用枝肉（以下、ワークという）を懸吊した状態で移動させる搬送トロリーが使用されている。この搬送トロリーは、搬送フックにワークを懸吊すると共に、走行レール上を回転ローラーで移動させ、所定の作業位置まで搬送して適宜処理加工するために使用されるものである。
【０００３】
このように、走行レール上でローラーを移動させるとき、レールに付着しているオイルや塵埃等の異物（以下、単に異物という）が落下する。すなわち、加工中のワークに異物が落下して付着してしまいワークを汚染するという問題があった。そこで、この走行用レールを清掃する必要があるが、走行用レールは床面から３〜４ｍの極めて高位置に設けられているのが通常であるが、多くの場合、梯子や脚立を使用して、移動しながら人手による拭き取り作業で行なっており、作業者は危険な上に長時間の重労働を強いられるという問題があった。そこで、例えば、特許文献１に記載された装置のように、自走する走行車に洗浄剤噴出手段とブラッシング手段を取り付け、レール上面の塵埃や錆をブラシで取り除く自動洗浄装置が提案されている。
【先行技術文献】
【特許文献】
【０００４】
【特許文献１】特開２００４−２６９１５２号公報
【考案の概要】
【考案が解決しようとする課題】
【０００５】
しかしながら、前記自動洗浄装置は、走行レールに洗浄剤を噴霧し、レール上面及び側面の塵埃や錆をブラシで拭き取り、更にモップで洗浄剤を拭き取る作業を自動的に行なうことができるのではあるが、この装置は一方向、つまり正転方向しか移動できず、レールの乗り移り箇所、すなわちレールの交差点や行き止まりでは、その都度、装置を一旦レールから降ろして進行方向を向き直してやる必要があった。そこで、本考案は、自動洗浄装置を走行用レールから降ろすことなく逆走させることができ、レールの洗浄作業を効率良く行なうことができる搬送トロリーの走行レール用自動洗浄装置を提供とすることを目的とするものである。
【課題を解決するための手段】
【０００６】
上記目的を達成する本考案は、搬送トロリーの走行レールを洗浄する自動洗浄装置であって、前記走行レール表面に洗浄剤を塗布する洗浄剤散布機構と、前記走行レール表面をブラッシングするブラシング機構と、前記走行用レール上を駆動走行させるモーターとを備え、前記複数のトリローを複数のリンクで連結し、走行レール上を正逆移動可能に構成し、且つ任意のトロリーには左右回転自在に設けた一対のブラシが、レールを挟持して設置され、他のトロリーには、左右回転自在に設けたブロックに走行レールの上面に対して、円盤型のブラシが当該ブラシの回転軸と直角になるように設置されると共に、レールを挟持して拭き取り具を設け、正逆それぞれの進行方向の背面側で牽引可能に構成したことを第１の特徴とする。また、装置本体が走行レールの上面から複数の車輪で支持され、走行レールの接触面に、更に前記各々の車輪を支点にしてリンクバーで連結させたことを第２の特徴とする。
【考案の効果】
【０００７】
本考案によれば、下記の優れた効果がある。
（１）搬送用レールを自動的に洗浄して、清潔な状態に保ち、搬送用レールからの異物の落下によるワークや床面の汚染を防止することができる。また、人的労力を軽減することができる。
（２）モーターを搬送レールに懸垂させているので、上下バランスが良く走行中の脱輪が解消される。
（３）駆動機構を正逆回転可能にしたので、レールの乗り移り箇所、すなわちレールの交差点や行き止まりでは、その都度、装置をレールから降ろして進行方向を変えてやる必要がなく、自動洗浄装置を搬送レールから降ろすことなく逆走させることができ、レールの洗浄作業を効率良く行なうことができる。
【図面の簡単な説明】
【０００８】
【図１】本考案に係る走行レール用自動洗浄装置の一実施例を示す正面図である。
【図２】図１の側面図である。
【図３】本考案に係る車輪と搬送レールの縦断面図である。
【図４】本考案に係る搬送レールの曲り部分を示す平面図である。
【図５】本考案に係る洗浄剤の滴下状態を示す要部拡大縦断面図である。
【図６】本考案に係る自動洗浄装置の横回転ブラシ機構を示す正面図である。
【図７】本考案に係る自動洗浄装置の縦回転ブラシ機構を示す正面図である。
【図８】縦回転ブラシ機構のブラシを示す要部拡大図である。
【考案を実施するための形態】
【０００９】
以下、本考案の実施の形態を図面に示す実施例に基づいて説明する。
【実施例】
【００１０】
本考案に係る走行レール用自動洗浄装置は、トロリー用搬送レール７に倣って回転ローラーで移動する自走式トロリー機構１と、レール７に洗浄剤を噴霧又は滴下して塗布する洗浄剤散布機構２と、搬送レール７の上面並びに側面をブラッシングすることでレール７のオイルや塵埃、錆等を掻き取る横回転ブラシ機構３及び縦回転ブラシ機構４と、搬送レール７に塗布した洗浄剤を拭き取るモップ機構５と、これらの機構の動力源となるモーター６とから構成されている。
本装置は枝肉搬送レール７に自走式トロリー機構１を載せ、レール７に倣って移動しながら、洗浄剤の噴霧・滴下機構２にてレール７に洗浄剤を散布し、レール７の上面並びに側面を横ローラー型ブラシ機構３及び縦ローラー型ブラシ機構４のブラシを回転させることで、レール７の塵・錆を掻き取り、モップ機構５によりレール７に付着した汚れ、及び洗浄剤を拭き取るように、一つの装置として構成されており、バッテリー等を主電源として、有線又は無線でリモートコントロール可能な構成になっている。
【００１１】
自走式トロリー機構１は、清掃装置本体を搬送レール７の上面に複数の車輪１ａで支持されると共に、その回転により、搬送レール７の上を前後に移動することができるようにされている。さらに、個々の車輪１ａを支点にリンクバー１ｃで車輪１ａ同士を連結させることによって搬送レール７の分岐点などを円滑に曲がって走行できるようにされている。尚、本実施例では、車輪１ａはモーター６からのフレキシブルシャフト６ａを介して回転するようになっているが、他の方法、例えば、チェーンやベルトを使用して駆動力を伝達するようにしても良い。
【００１２】
洗浄剤散布機構２は、洗浄剤を洗浄剤タンク２ａから供給し、洗浄剤ポンプ２ａを経て搬送レール７の上面に洗浄剤ノズル２ｃによって噴霧または滴下するようになっている。
【００１３】
横回転型ブラシ機構３は、自走式トロリー機構１のリンクバー１ｃに連結ピン３ｂで連結されており、連結ピン３ｂを支点にして搬送レール７の曲部などを円滑に曲がることができるようにされている。また、横回転ブラシ３ａの固定支軸３ｃを支点に横ブラシの消耗量に合わせて上下動できるようにされており、常に搬送レール７の上面に横回転ブラシ３ａが接触し続け、搬送レール７の上面の塵埃・錆等を掻き取ることができるようにされている。縦回転ブラシ４ａは、モーター６からフレキシブルシャフト６ａを介して回転するようになっている。
【００１４】
モップ機構５は、自走式トロリー機構１が懸下される搬送レール７の表裏面を挟持するように一対のモップを備え、２基のトロリー機構１の各々１組ずつ設けられている。モップ機構５の一対のモップはトロリー機構１のガイド部材の頂部に左右に張り出して固定された羽根板５ｂに支軸５ａにより回転自在に軸支されており、搬送レール７に倣って移動する際にレール表裏面の汚れを拭き取ることができる。
【００１５】
モーター６は、自走式トロリー機構１、横回転ブラシ機構３、縦回転ブラシ機構４の夫々の機構が搬送レール７の分岐点などを円滑に曲がって走行することができるように、車輪用モーター６ｂ、ブラシ回転用モーター６ｃの回転を、夫々フレキシブルシャフト６ａを介して車輪１ａ、横回転ブラシ及び縦回転ブラシに伝達できるようにされている。
【符号の説明】
【００１６】
１    自走式トロリー機構
１ａ  車輪
１ｂ  車輪の溝
１ｃ  リンクバー
２    洗浄剤散布機構
２ａ  洗浄剤収容タンク
２ｂ  洗浄剤噴出ポンプ
２ｃ  洗浄剤噴霧ノズル
３    横回転ブラシ機構
３ａ  横回転ブラシ
３ｂ  連結ピン
３ｃ  横回転ブラシ固定ピン
４    縦回転ブラシ機構
４ａ  縦回転ブラシ
４ｂ  連結ピン
５    モップ機構（拭き取り具）
５ａ  支軸
５ｂ  羽根板
６    モーター
６ａ  フレキシブルシャフト
６ｂ  車輪用モーター
６ｃ  ブラシ用モーター
Ｌ    洗浄剤
【図１】
0003155445.tif 000003
【図２】
0003155445.tif 000004
【図３】
0003155445.tif 000005
【図４】
0003155445.tif 000006
【図５】
0003155445.tif 000007
【図６】
0003155445.tif 000008
【図７】
0003155445.tif 000009
【図８】
0003155445.tif 000010
【手続補正書】
【提出日】平成21年9月9日(2009.9.9)
【手続補正１】
【補正対象書類名】実用新案登録請求の範囲
【補正対象項目名】全文
【補正方法】変更
【補正の内容】
【実用新案登録請求の範囲】
【請求項１】
搬送トロリーの走行レールを洗浄する自動洗浄装置であって、前記走行レール表面に洗浄剤を塗布する洗浄剤散布機構と、前記走行レール表面をブラッシングするブラシング機構と、前記走行用レール上を駆動走行させるモーターとを備えた複数のトロリーを、走行レール上を正逆移動可能に構成し、且つ左右回転自在に設けた一対のブラシがレールを挟持して設置され、左右回転自在に設けたブロックに走行レールの上面に対して、円盤型のブラシが当該ブラシの回転軸と直角になるように設置されると共に、レールを挟持して拭き取り具を設けたことを特徴とする搬送トロリー走行用レール自動清掃装置。
【請求項２】
複数のトロリーが走行レールの上面から車輪で支持され、トロリー同士をリンクバーで連結させたことを特徴とする請求項１記載の搬送トロリー走行用レール自動清掃装置。
【手続補正２】
【補正対象書類名】明細書
【補正対象項目名】０００６
【補正方法】変更
【補正の内容】
【０００６】
上記目的を達成する本考案は、搬送トロリーの走行レールを洗浄する自動洗浄装置であって、前記走行レール表面に洗浄剤を塗布する洗浄剤散布機構と、前記走行レール表面をブラッシングするブラシング機構と、前記走行用レール上を駆動走行させるモーターとを備えた複数のトロリーを、走行レール上を正逆移動可能に構成し、且つ左右回転自在に設けた一対のブラシがレールを挟持して設置され、左右回転自在に設けたブロックに走行レールの上面に対して、円盤型のブラシが当該ブラシの回転軸と直角になるように設置されると共に、レールを挟持して拭き取り具を設けたことを第１の特徴とする。また、複数のトロリーが走行レールの上面から車輪で支持され、トロリー同士をリンクバーで連結させたことを第２の特徴とする。
【手続補正３】
【補正対象書類名】明細書
【補正対象項目名】００１１
【補正方法】変更
【補正の内容】
【００１１】
自走式トロリー機構１は、清掃装置本体を搬送レール７の上面に複数の車輪１ａで支持されると共に、その回転により、搬送レール７の上を前後に移動することができるようにされている。尚、本実施例では、車輪１ａはモーター６からのフレキシブルシャフト６ａを介して回転するようになっているが、他の方法、例えば、チェーンやベルトを使用して駆動力を伝達するようにしても良い。